(57)【要約】      （修正有）【課題】下水の逆流防止構造を有する排水口カバーを提供する。【解決手段】本排水口カバーは、外フレームと、可動蓋と、挿入部材と、ばねと、ゴムパッドとからなる。外フレームは、側辺に固定片を設置し、上端にフィルターを載置し、下端に固定部材を設置して、下水管路中に内設される。可動蓋は、外フレーム底部に配置され、一側には連接板を設置して、固定部材と連接し、可動自在としたものである。挿入部材は、連接板を通過して、固定部材と固定する。ばねは、挿入部材上に設置され、長端を有して、可動蓋上で可動自在としたものである。ゴムパッドは、可動蓋及び外フレーム間に設置されて、密着性を強化したものである。下水管路上に排水口カバーを設置して、排水口を塞ぐことにより、下水管路の下水が逆流して、室内環境を汚染するのを防止することができる。【選択図】図１
0003160221.tif 000002
【実用新案登録請求の範囲】
【請求項１】
外フレームと、可動蓋と、挿入部材と、ばねと、ゴムパッドからなる排水口カバーであって、
前記外フレームが、側辺に固定片を設置し、床に固定され、上端にフィルターを載置し、下端に固定部材を設置して、下水管路内に内設され、
前記可動蓋が、前記外フレーム底部に配置され、一側には連接板を形成させて、該連接板を前記固定部材と連接させることにより可動自在とされ、
前記挿入部材が、前記連接板の孔部を通過して、前記固定部材と固定し、
前記ばねが、前記挿入部材上に設置され、長端を有して、前記可動蓋上で可動自在であり、
前記ゴムパットが、前記可動蓋と前記外フレームとの間に配置されて、密着性を増加させ、
前記外フレームが前記固定片により床に固定され、前記固定部材を前記下水管路内に内設し、下水管路入口を有する室内の水が、前記下水管路に流入する時、前記ゴムパッドに衝撃を与え、前記可動蓋が前記ばねの作用下で開き、室内の水が前記下水管路から排出し、一方、外部の下水が前記下水管路を経て室内に逆流する時、水圧の作用下で、前記可動蓋がばねを圧縮し、水圧が大きくなると、前記可動蓋が前記ゴムパッドに圧力を加えて、前記外フレームと更に密着し、排水口を閉塞し、前記下水管路の下水の逆流による室内環境の汚染を防止することを特徴とする排水口カバー。 
【考案の詳細な説明】
【技術分野】
【０００１】
本考案は、排水口カバー構造に関するものであって、さらに詳しくは、下水管路が天災又は管路異常等により、下水を逆流させてしまう構造に対して改良を加えたものであり、下水管路上部に排水口カバーを設置し、可動蓋を調整することにより、排水口を封止して、下水管路内の下水の逆流により室内環境が汚染されるのを防止する排水口カバーに関するものである。
【背景技術】
【０００２】
社会の発展と人口の急激な増加により、各種住居が林立し、地面に位置する住居においては、水害等の災害が発生して、下水管路に異常が生じた場合、下水が下水管路を通過し、耐圧が小さい箇所の下水管口で逆流し、室内に下水が流入することがある。下水は、伝染病蔓延の原因となることから、下水の逆流を確実に防止しなければならないが、現在の下水管路では下水を逆流させない装置はほとんど設置されていない状態である。また、現在設けられている逆流防止装置は構造が複雑で、操作も容易でない。
よって、現在の下水管路の構造の事情から上述の逆流防止構造の欠点を解決することが期待されている。
【０００３】
かかる状況下において、排出口カバーに関しては、多数の各種提案があり、例えば、特許文献１によれば、手洗いボールの底部に形成された排水口とその周辺部を覆い隠す排出口カバーが提案されている。
しかし、かかる提案は、本考案を示唆するものではなく、下水管路内の下水の逆流を防止するような構造については開示がなく、また、その他の特許文献によってもかかる逆流防止構造についてはほとんど提案されたものが見当たらない。
【特許文献１】公開２００７−３１５０７２号公報
【考案の開示】
【考案が解決しようとする課題】
【０００４】
従って、本考案の課題は、天災及び配管異常等により生じる下水管路の下水の逆流を防止するための構造を提供することにある。
【課題を解決するための手段】
【０００５】
そこで、本考案者は、前記の本考案の課題を解決するため、鋭意検討を重ねた結果、下水管路上に排水口カバーを設置し、可動蓋の作動の調整により、排水口の封止が可能な構造を採用することにより、前記課題を解決できることに着想し、かかる知見に基づいて本考案を想到するに至った。
すなわち、本考案の目的は、上述の問題を解決し、実用性を備えた排水口カバーを提供することにあり、下水管路上に排水口カバーを設置して、可動蓋を調整することにより、排水口を封止し、下水管路の下水の逆流による室内環境の汚染を防止することにある。
【０００６】
かくして、本考案によれば、
請求項１において、
外フレームと、可動蓋と、挿入部材と、ばねと、ゴムパッドからなる排水口カバーであって、
前記外フレームが、側辺に固定片を設置し、床に固定され、上端にフィルターを載置し、下端に固定部材を設置して、下水管路内に内設され、
前記可動蓋が、前記外フレーム底部に配置され、一側には連接板を形成させて、該連接板を前記固定部材と連接させることにより可動自在とされ、
前記挿入部材が、前記連接板の孔部を通過して、前記固定部材と固定し、
前記ばねが、前記挿入部材上に設置され、長端を有して、前記可動蓋上で可動自在であり、
前記ゴムパットが、前記可動蓋と前記外フレームとの間に配置されて、密着性を増加させ、
前記外フレームが前記固定片により床に固定され、前記固定部材を前記下水管路内に内設し、下水管路入口を有する室内の水が、前記下水管路に流入する時、前記ゴムパッドに衝撃を与え、前記可動蓋が前記ばねの作用下で開き、室内の水が前記下水管路から排出し、一方、外部の下水が前記下水管路を経て室内に逆流する時、水圧の作用下で、前記可動蓋がばねを圧縮し、水圧が大きくなると、前記可動蓋が前記ゴムパッドに圧力を加えて、前記外フレームと更に密着し、排水口を閉塞し、前記下水管路の下水の逆流による室内環境の汚染を防止することを特徴とする排水口カバーが提供される。
【０００７】
本考案によれば、上述の目的を達成するため、本考案の排水口カバーは、外フレームと、可動蓋と、挿入部材と、ばねと、ゴムパッドと、からなる。外フレームは、側辺に固定片を設置し、その上にフィルターを設置し、下端に固定部材を設置して、下水管路内に内設される。可動蓋は、外フレーム底部に設置され、一側には連接板を形成させ、固定部材と連接し、可動自在としたものである。挿入部材は、連接板の孔部を通過して、固定部材と固定する。ばねは、挿入部材上に設置され、長端を有して、可動蓋上で可動自在としたものである。ゴムパッドは、可動蓋と外フレームとの間に設置されて、密着性を増加させたものである。外フレームが固定片により床に固定され、固定部材を下水管路中に内設する。室内の水が、下水管路に流入する時、ゴムパッドに衝撃を与え、可動蓋がばねの作用下で開き、室内の水が下水管路から排出される。一方、外部の下水が下水管路を経て室内に逆流する時、水圧の作用下で、可動蓋がばねを圧縮し、水圧が大きくなると、可動蓋がゴムパッドに圧力を加えて、外フレームと更に密着し、排水口を閉塞し、これにより、下水管路の下水が逆流して、室内を汚染するようなことが生じないように構成されたものである。
【考案の効果】
【０００８】
本考案によれば、下水管路上部に排水口カバーを設置して、可動蓋を調整することにより、排水口を封止し、下水管路内の下水の逆流を防止することにより、室内環境の汚染を防止することができる。
【考案を実施するための最良の形態】
【０００９】
以下、図面に基づいて本考案について、さらに具体的に説明する。もっとも、図面等により本考案が限定されるものではない。      
図１〜図４に示すように、本考案に係る排水口カバー１は、外フレーム１１と、可動蓋１４と、挿入部材１５と、ばね１６と、ゴムパッド１７と、からなる。
【００１０】
外フレーム１１は、側辺に固定片１１１を設置し、床３上に固定される。外フレーム１１上にフィルター１２を載置し、外フレーム１１の下端に固定部材１３を設置して、下水管路２内に内設される。
【００１１】
可動蓋１４は、外フレーム１１底部に取り付けられ、一側には連接板１４１を形成させて、固定部材１３と連接し、可動自在としたものである。
【００１２】
挿入部材１５は、連接板１４１を通過して、固定部材１３と固定する。        
【００１３】
ばね１６は、挿入部材１５上に設置され、長端１６１を有して、可動蓋１４上で可動自在としたものである。
【００１４】
ゴムパッド１７は、可動蓋１４と外フレーム１１との間に設置されて、外フレームと可動蓋の密着性を増加させたものである。
【００１５】
外フレーム１１が、固定片１１１により床３に固定され、固定部材１３を下水管路２中に内設される。下水管路上口を有する室内の水が、下水管路２に流入する時、ゴムパッド１７に衝撃を与え、可動蓋１４がばね１６の作用下で開き、室内の水が下水管路２から排出する。一方、外部の下水が下水管路２から室内に逆流する時、水圧の作用下で、可動蓋１４がばね１６を圧縮し、水圧が大きくなると、可動蓋１４がゴムパッド１７に圧力を加えて、外フレーム１１と更に密着し、排水口を閉塞することができるので、下水管路の下水が逆流して、室内を汚染するようなことがないように構成されてある。
【００１６】
本考案によれば、好ましい実施形態を前述の通り開示したが、これらにより決して本考案を限定するものではないことは明らかである。
【図面の簡単な説明】
【００１７】
【図１】本考案の一実施形態による排水口カバーの斜視図である。
【図２】本考案の一実施形態による排水口カバーの分解斜視図である。
【図３】本考案の一実施形態による排水口カバーを内設した下水管路の排水状態を示す下水管路の側部断面図である。
【図４】本考案の一実施形態による排水口カバーを内設した下水管路の下水逆流防止状態を示す下水管路の側面断面図である。
【符号の説明】
【００１８】
１      排水口カバー
１１    外フレーム
１１１  固定片
１２    フィルター
１３    固定部材
１４    可動蓋
１４１  連接板
１５    挿入部材
１６    ばね
１６１  長端
１７    ゴムパッド
２      下水管路
３      床
【図１】
0003160221.tif 000003
【図２】
0003160221.tif 000004
【図３】
0003160221.tif 000005
【図４】
0003160221.tif 000006